(57)【要約】      （修正有）【課題】遮音性を向上させることができるヘッドホンを提供する。【解決手段】コードレス型のヘッドホン１は、静電容量型の近接センサ２３をハウジング内に設け、装着者の側頭部に対するクッション２１の当接面の密着性を確保する。さらに、イヤカップ２Ａ、２Ｂは、対象物の検知に応じてスピーカユニットを動作させる制御部を備える。受信部が信号を受信するとともに近接センサ２３が対象物を検知した際に音を放射することにより、ヘッドホン１の消費電力を低減する。【選択図】図１
2016100836.tif 000002
【特許請求の範囲】
【請求項１】
ハウジングを有するイヤカップを備え、
前記ハウジング内に静電容量型の近接センサが設けられ、
前記イヤカップは、前記近接センサにより、当該イヤカップの音放射側における対象物を検知するように構成されていることを特徴とするヘッドホン。
【請求項２】
前記イヤカップは、弾性変形可能かつ環状に形成された耳当て部を備え、
前記イヤカップは、前記近接センサにより、前記耳当て部よりも前記音放射側に位置する前記対象物を検知するように構成されていることを特徴とする請求項１に記載のヘッドホン。
【請求項３】
前記ハウジングには、前記近接センサよりも前記音放射側の反対側に導電部材が設けられていることを特徴とする請求項１又は２に記載のヘッドホン。
【請求項４】
前記イヤカップにおける前記音放射側の反対側の面と前記近接センサとの間の距離が、前記イヤカップにおける装着者に当接する面と前記近接センサとの間の距離よりも大きいことを特徴とする請求項１〜３のいずれか１項に記載のヘッドホン。
【請求項５】
前記ハウジングには、前記近接センサよりも前記音放射側の反対側に導電部材を有したタッチパネルが設けられていることを特徴とする請求項１又は２に記載のヘッドホン。
【請求項６】
前記イヤカップは、スピーカユニットを備え、
前記スピーカユニットを動作又は停止させる制御部を備え、
前記制御部は、前記近接センサにより前記対象物が検知されたとき、前記スピーカユニットを動作させることを特徴とする請求項１〜５のいずれか１項に記載のヘッドホン。
【請求項７】
前記イヤカップは、操作部を備え、
前記操作部は、操作されることにより、前記スピーカユニットの動作を停止させるように構成されていることを特徴とする請求項６に記載のヘッドホン。
【請求項８】
前記近接センサは、前記スピーカユニットの外周部と前記ハウジングの内周部との間に配置されていることを特徴とする請求項６又は７に記載のヘッドホン。
【請求項９】
前記近接センサが、前記ハウジングにおける下方側に設けられていることを特徴とする請求項１〜８のいずれか１項に記載のヘッドホン。
【請求項１０】
前記近接センサが、前記ハウジングにおける前方側に設けられていることを特徴とする請求項１〜９のいずれか１項に記載のヘッドホン。
【発明の詳細な説明】
【技術分野】
【０００１】
本発明は、ヘッドホンに関する。
【背景技術】
【０００２】
従来、静電容量を測定する検出素子を備えたヘッドセット（ヘッドホン）が提案されている（例えば、特許文献１参照）。特許文献１に記載された従来のヘッドセットでは、検出素子が測定した静電容量に基づいて、装着者に装着されているか否かを判断するとともに音声増幅器を制御することで、非装着時の消費電力を低減するように構成されている。
【先行技術文献】
【特許文献】
【０００３】
【特許文献１】特開２００７−１０４６７０号公報
【発明の概要】
【発明が解決しようとする課題】
【０００４】
しかしながら、特許文献１に記載のヘッドホンでは、装着者の耳又は装着者の側頭部に当接するカバー（耳当て部）に検出素子が設けられており、この部分においてカバーが装着者の耳又は装着者の側頭部に密着しにくくなり、遮音性が低下してしまうという不都合があった。
【０００５】
したがって、本発明の課題は、遮音性を向上させることができるヘッドホンを提供することが一例として挙げられる。
【課題を解決するための手段】
【０００６】
前述した課題を解決し目的を達成するために、請求項１に記載の本発明のヘッドホンは、ハウジングを有するイヤカップを備え、前記ハウジング内に静電容量型の近接センサが設けられ、前記イヤカップは、前記近接センサにより、当該イヤカップの音放射側における対象物を検知するように構成されていることを特徴としている。
【図面の簡単な説明】
【０００７】
【図１】本発明の実施例に係るヘッドホン全体を示す斜視図である。
【図２】前記ヘッドホンのイヤカップを拡大して示す斜視図である。
【図３】前記イヤカップを示す断面図である。
【図４】前記ヘッドホンのヘッドバンドを装着者の首にかけた様子を示す側面図である。
【発明を実施するための形態】
【０００８】
以下、本発明の実施形態を説明する。本発明の実施形態に係るヘッドホンは、ハウジングを有するイヤカップを備え、ハウジング内に静電容量型の近接センサが設けられ、イヤカップは、近接センサにより、イヤカップの音放射側における対象物を検知するように構成されていることを特徴とする。
【０００９】
近接センサがハウジング内に設けられていることで、装着者の耳や側頭部に対するイヤカップの密着性を確保し、遮音性を向上させることができる。また、イヤカップが、近接センサによって対象物（例えば装着者の耳や側頭部）を検知したとき、後述するスピーカユニットから音を放射することにより、ヘッドホンの消費電力を低減することができる。
【００１０】
イヤカップは、弾性変形可能かつ環状に形成された耳当て部を備え、イヤカップは、近接センサにより、耳当て部よりも音放射側に位置する対象物を検知するように構成されていることが好ましい。それにより、装着者の耳や側頭部に対する耳当て部の密着性を確保し、遮音性を向上させることができる。
【００１１】
ハウジングには、近接センサよりも音放射側の反対側に導電部材が設けられていても構わない。また、この導電部材は、音放射側の反対側から見て近接センサ全体を隠したり覆ったりするように設けられていることが好ましい。それにより、近接センサに対して音放射側の反対側から対象物以外の物体（例えば、装着者の手等）が接近した場合に、近接センサが検出する静電容量の変化を導電部材によって遮蔽することができ、非装着時における近接センサの誤検知を抑制することができる。
【００１２】
イヤカップにおける音放射側の反対側の面と近接センサとの間の距離が、イヤカップにおける装着者に当接する面と近接センサとの間の距離よりも大きくても構わない。それにより、イヤカップにおける音放射側の反対側の面よりも装着者に当接する面において、近接センサが対象物を検知しやすくなり、誤検知を抑制することができる。このとき、近接センサの検知可能距離を装着者に当接する面近傍までの距離以下に設定すれば、音放射側の反対側の面から対象物以外の物体が接近しても近接センサが検知しにくくなり、誤検知を抑制することができる。
【００１３】
ハウジングには、近接センサよりも音放射側の反対側に導電部材を有したタッチパネルが設けられていても構わない。また、この導電部材は、音放射側の反対側から見て近接センサ全体を隠したり覆ったりするように設けられていることがより好ましい。それにより、前述のように、音放射側の反対側において近接センサが検出する静電容量の変化を遮蔽して誤検知を抑制することができる。さらに、タッチパネルをヘッドホンの機能調節用や再生機器の操作用の電子部品として使用するとともに、イヤカップにおける音放射側の反対側の面にこのタッチパネルを設ける場合、この面においてタッチパネルを操作することができるとともに、タッチパネルが備える回路部分が導電部材となり、音放射側の反対側における静電容量の変化を遮蔽することができる。
【００１４】
イヤカップは、スピーカユニットを備え、スピーカユニットを動作又は停止させる制御部を備え、制御部は、近接センサにより前記対象物が検知されたとき、スピーカユニットを動作させても構わない。それにより、近接センサによって対象物が検知されたときにスピーカユニットを動作させることで、ヘッドホンは、装着者に装着された場合に音を放射することができ、ヘッドホンの消費電力を低減することができる。また、イヤカップは、操作部を備え、操作部は、操作されることにより、スピーカユニットの動作を停止させるように構成されていても構わない。
【００１５】
近接センサは、前記スピーカユニットの外周部と前記ハウジングの内周部との間に配置されていても構わない。それにより、スピーカユニットが放射した音波が環状の耳当て部の中央の孔を通過する際に、近接センサがこの音波の進行を妨げにくいように配置され、音質や音量の低下を抑制しつつ対象物を検知することができる。
【００１６】
近接センサが、ハウジングにおける下方側に設けられていても構わない。近接センサをハウジングにおける上方側に設けると、装着者が耳当て部を耳や側頭部に装着せず、左右のイヤカップを連結するバンド部を首にかけている場合に、近接センサにより装着者の顎等を検知しやすくなってしまう可能性がある。このため、近接センサをハウジングにおける下方側に設けることで、上記のように装着者がバンド部を首にかけている場合に、近接センサが装着者の顎等を検知しにくくなり、誤検知をさらに抑制することができる。また、イヤカップを装着者の頭部に対して上方側から下方側に近づけるように装着する場合、イヤカップの装着が完了するよりも先に対象物を検知しやすくすることができ、装着から音放射開始までのタイムラグを発生しにくくし、使用感を向上させることができる。
【００１７】
近接センサが、ハウジングにおける前方側に設けられていても構わない。それにより、前述のように装着者がバンド部を首にかけている場合に、近接センサが装着者の顎等をより検知しにくくなり、誤検知をより一層抑制することができる。
【実施例】
【００１８】
以下、本発明の実施例について具体的に説明する。図１は、本発明の実施例に係るヘッドホン１全体を示す斜視図であり、図２は、ヘッドホン１のイヤカップ２Ａを拡大して示す斜視図であり、図３は、イヤカップ２Ａを示す断面図であり、図３は、ヘッドホン１のヘッドバンド３を装着者の首Ｎにかけた様子を示す側面図である。本実施例において、ヘッドホン１は、紙面奥側を前方側とするとともに手前側を後方側として装着者に装着され、イヤカップ２の装着者側を音放射側とし、その反対側を外側と呼ぶ。また、上下方向は図１に示す通りとする。
【００１９】
ヘッドホン１は、左右一対のイヤカップ２Ａ、２Ｂと、一対のイヤカップ２Ａ、２Ｂを連結するヘッドバンド（バンド部）３と、を備えたコードレス型のヘッドホンであって、再生機器に接続された送信機から無線で送信された信号を受信し、その信号に応じた音を放射するように構成されている。
【００２０】
右耳用のイヤカップ２Ａと左耳用のイヤカップ２Ｂとは、耳当て部としてのクッション２１と、スピーカユニット４と、スピーカユニット４に電力を供給可能な電源部５と、送信機からの信号を受信する図示しない受信部と、スピーカユニット４を動作又は停止させる制御部としての回路基板６と、操作部７と、スピーカユニット４、電源部５、受信部、及び、回路基板６を収容するハウジング２２と、備える。さらに、本実施例では、右耳用のイヤカップ２Ａに近接センサ２３が設けられる。尚、近接センサ２３は、左耳用のイヤカップ２Ｂに設けられてもよいし、両方のイヤカップ２Ａ、２Ｂに設けられてもよい。尚、図１では、説明の都合上、右耳用のイヤカップ２Ａにおいてクッション２１が省略されている。また、以下の説明における「面」は、面全体に限定されず、面の一部であってもよいし、各部材における側面であってもよいし、面の形状は限定されず、平面であってもよいし曲面であってもよい。
【００２１】
クッション２１は、スポンジ等のクッション部材が合成皮革等の被覆部材で覆われて円環状に形成され、図３に示すように、ハウジング２２の装着者側（音放射側）に取り付けられる。クッション２１は、音放射側の面を当接面２１１として図４に示す装着者の側頭部Ｈに当接可能に形成されている。スピーカユニットから放射された音波は、クッション２１の中央の孔を通過して装着者の耳に到達するようになっている。
【００２２】
ハウジング２２は、図３に示すように、例えば樹脂によって形成されたハウジング本体２２１と、ハウジング本体２２１の外側の面２２１Ａに設けられるタッチパネル２２２と、を有する。ハウジング本体２２１の外側の面２２１Ａは、図３では、スピーカユニット４の磁気回路４１よりも外側に設けられた面２２１Ｂに対して外側に対向するように設けられている。
【００２３】
タッチパネル２２２は、例えば、感圧式や静電容量型のタッチパネルであって、指によって操作可能に構成され、スピーカユニットの音量を調節したり、再生する音声や楽曲を選択したり、再生機器の電源をオンオフしたりし、ヘッドホン１の機能の調節や、再生機器の操作が可能に構成されている。本実施例のタッチパネル２２２は静電容量型であって、少なくとも２枚のガラス基板２２２Ａと、２枚のガラス基板２２２Ａの界面に設けられるとともに導電部材によって形成された電極部２２２Ｂと、を有している。この電極部２２２Ｂは、タッチパネル２２２全体に設けられ、外側から見て近接センサ２３が隠れるような寸法および配置を有し、近接センサ２３を外側から覆っている。
【００２４】
スピーカユニット４は、磁気回路４１と、振動板４２と、エッジ４３と、を備え、音放射側を前面側として音波を放射するようにハウジング本体２２１内に収容されている。
【００２５】
電源部５は、例えば乾電池や充電池のような電池等の電源供給部と、電源供給部とスピーカユニットとを接続する接続部と、を有する。
【００２６】
操作部７は、例えばプッシュ式のスイッチであって、操作されることによって、電源部５の接続部を電気的に接続された状態から非接続な状態に切り替えるように構成されている。尚、操作部７は、操作されることによって接続部を電気的に非接続な状態から接続された状態に切り替えるように構成されていてもよい。
【００２７】
ここで、回路基板６による制御方法の詳細について説明する。受信部が信号を受信したとき、回路基板６は、電源部５の接続部を電気的に接続された状態にし、ヘッドホン１を準備状態にする。ヘッドホン１が準備状態となっているときに、近接センサ２３が対象物（例えば図４に示す装着者の耳Ｅや側頭部Ｈ）を検知すると、回路基板６は、スピーカユニット４に信号を送信し、スピーカユニット４に音波を放射させ、ヘッドホン１を動作状態とする。
【００２８】
また、ヘッドホン１が動作状態となっているとき、近接センサが対象物を検知しなくなると、回路基板６は、スピーカユニット４への信号送信を停止し、スピーカユニット４による音波の放射を停止させ、ヘッドホン１を準備状態にする。
【００２９】
一方、受信部が信号を受信しなくなると、ヘッドホン１が動作状態であっても準備状態であっても、回路基板６は、電源部５の接続部を電気的に非接続な状態とし、ヘッドホン１を停止状態にする。
【００３０】
本実施例では、操作部７は、上記のように接続部の状態を切り替える、即ち、ヘッドホン１の準備状態と停止状態とを切り替えるように構成されるものとするが、操作部７は、操作された際に回路基板６に信号を送信可能に構成されていてもよい。即ち、ヘッドホン１が準備状態となっているときに操作部７が操作されることでヘッドホン１が動作状態となるように構成されていてもよいし、ヘッドホン１が動作状態となっているときに操作部７が操作されることでヘッドホン１が準備状態となるように構成されていてもよい。
【００３１】
近接センサ２３は、ハウジング本体２２１内におけるクッション２１側（音放射側）に収容されるとともに、前方側かつ下方側に配置される。即ち、図１に二点鎖線で示すようにハウジング２２を前方側且つ上方側の第１領域Ａ１と、前方側且つ下方側の第２領域Ａ２と、後方側且つ上方側の第３領域Ａ３と、後方側且つ下方側の第４領域Ａ４と、の四領域に仮想的に区画した際に、近接センサ２３は第２領域Ａ２に配置される。また、近接センサ２３は、ハウジング本体２２１を挟んでクッション２１に隣接する位置に設けられている。この近接センサ２３は、クッション２１よりも音放射側にある対象物を検知する位置、且つ、スピーカユニット４から放射された音波の進行を妨げないような位置に配置されている。近接センサ２３は、静電容量型のセンサであって、検知可能距離の範囲内における静電容量を測定するように構成されている。この検知可能距離の範囲内に対象物が存在すると、その静電容量によって対象物を検知する。より具体的には、測定する静電容量に所定の閾値を設定し、測定した静電容量がこの閾値以上となった場合には、ヘッドホン１が装着者に装着されたと判定する。一方、測定した静電容量がこの閾値を下回った場合には、ヘッドホン１が装着者に装着されていないと判定する。この検知可能距離は、必要に応じて適宜に変更することができる。本実施例では、近接センサ２３とクッション２１の当接面２１１との間の距離Ｌ１よりも若干大きい距離を検知可能距離として設定するとともに、対象物を装着者の耳Ｅ又は側頭部Ｈとしている。
【００３２】
以上のように近接センサ２３がハウジング本体２２１に収容されることで、音放射側から外側に向かって順に、当接面２１１、近接センサ２３、タッチパネル２２２が配置される。また、前述の距離Ｌ１は、近接センサ２３とタッチパネル２２２の外側の面２２２Ｃ（即ち、イヤカップ２Ａにおける最も外側の面）との間の距離Ｌ２よりも小さい。
【００３３】
ヘッドバンド３は、例えば樹脂によって形成されるとともに、前方又は後方から見て円弧状に形成され、装着者の頭部の大きさに合わせて撓み変形可能に構成されている。また、ヘッドバンド３は、装着者の頭頂部近傍に載置されるように構成されている。
【００３４】
次に、ヘッドホン１の使用方法の一例およびそのときのスピーカユニットの動作について説明する。
【００３５】
ヘッドホン１を装着する前に、送信機が再生機器に接続されて信号を送信している状態とする。従って、ヘッドホン１は前述のように準備状態となる。装着者は、頭部の大きさに合わせてヘッドバンド３を撓ませつつ、頭頂部に対してヘッドバンド３を上方から下方に近づけていく。このとき、当接面２１１のうち近接センサ２３に対向する部分が、例えば耳Ｅや側頭部Ｈのうち耳の上方側の部分に摺接したり近接したりすると、イヤカップ２Ａ（２Ｂ）は、近接センサ２３により対象物を検知し、前述のようにヘッドホン１が動作状態となる。ヘッドバンド３をさらに下方に移動させ、クッション２１が装着者の側頭部Ｈの耳周辺に当接すると、装着が完了する。尚、送信機が信号を送信していない状態でヘッドホン１が装着され、装着後に送信機が信号を送信する場合もある。この場合、送信機が信号を送信するとヘッドホン１が準備状態となり、その直後に動作状態となる。
【００３６】
ヘッドホン１を装着者が外す際、装着者は、ヘッドバンド３を頭頂部から上方に遠ざけていく。このとき、当接面２１１が装着者の耳Ｅや側頭部Ｈから離れて近接センサ２３が対象物を検知しなくなると、前述のようにヘッドホン１が停止状態となる。
【００３７】
また、図４に示すように、装着者がヘッドバンド３を首Ｎにかける際、イヤカップ２Ａは、近接センサ２３が設けられた部分が装着者の顔（特に顎周辺）から遠ざかり、近接センサ２３は対象物を検知しない。
【００３８】
上記の構成により、近接センサ２３がハウジング内に設けられていることで、装着者の側頭部に対するクッション２１の当接面２１１の密着性を確保し、遮音性を向上させることができる。さらに、対象物の検知に応じてスピーカユニット４を動作可能にし、受信部が信号を受信するとともに近接センサ２３が対象物を検知した際に音を放射することにより、ヘッドホン１の消費電力を低減することができる。
【００３９】
また、近接センサ２３よりも外側に電極部２２２Ｂを備えたタッチパネル２２２が設けられ、この電極部２２２Ｂが外側から見て近接センサ２３全体を隠すとともに覆うように設けられていることで、例えば装着者がイヤカップ２Ａを手で掴むことによって近接センサ２３に対して外側から対象物以外の物体が接近しても、近接センサ２３が検出する静電容量の変化を電極部２２２Ｂによって遮蔽することができ、非装着時における近接センサ２３の誤検知を抑制することができる。
【００４０】
また、近接センサ２３とクッション２１の当接面２１１との間の距離Ｌ１が、近接センサ２３とタッチパネル２２２の外側の面２２２Ｃとの間の距離Ｌ２よりも小さく、近接センサ２３の検知可能距離が距離Ｌ１よりも若干大きい距離に設定されていることで、イヤカップ２Ａに対して外側から対象物以外の物体が接近しても近接センサ２３が検知しにくくなり、誤検知を抑制することができる。
【００４１】
また、近接センサ２３がイヤカップ２Ａの前方側かつ下方側の領域に配置されていることで、装着者がヘッドバンド３を首Ｎにかけている場合に、近接センサ２３による誤検知を抑制することができる。また、前述のように頭頂部に対してヘッドバンド３を上方から下方に近づけていく場合、イヤカップ２Ａ、２Ｂの装着完了前にスピーカユニットを動作可能にすることができ、装着から音放射開始までのタイムラグを発生しにくくし、使用感を向上させることができる。
【００４２】
なお、本発明は、前記実施例に限定されるものではなく、本発明の目的が達成できる他の構成等を含み、以下に示すような変形等も本発明に含まれる。
【００４３】
例えば、前記実施例では、ハウジング２２１の外側の面２２１Ａに導電部材としての電極部２２２Ｂを備えたタッチパネル２２２が設けられるものとしたが、ハウジング本体２２１における最も外側の２２２Ａ面よりもタッチパネル２２２が音放射側に設けられていてもよい。また、このようなタッチパネル２２２が省略されるとともに、ハウジング２２１の外側の面２２１Ａに板状の導電部材が設けられ、近接センサ２３が外側から隠されたり覆われたりしてもよい。また、例えば距離Ｌ１が距離Ｌ２に対して充分に小さく、近接センサ２３による誤検知が抑制されている場合には、導電部材が近接センサ２３を外側から完全に隠していなかったり、導電部材が省略されたりしてもよい。
【００４４】
また、前記実施例では、イヤカップ２Ａが近接センサ２３により、円環状のクッション２１よりも音放射側に位置する対象物を検知するものとしたが、近接センサ２３が円環状のクッション２１の中央近傍に配置され、イヤカップ２Ａが近接センサ２３により装着者の耳Ｅを対象物として検知してもよい。
【００４５】
また、前記実施例では、近接センサ２３とクッション２１の当接面２１１との間の距離Ｌ１が、近接センサ２３とタッチパネル２２２の外側の面２２２Ｃとの間の距離Ｌ２よりも小さいものとしたが、近接センサ２３が検出する静電容量の変化が電極部２２２Ｂによって充分に遮蔽されて近接センサ２３による誤検知が抑制されている場合には、距離Ｌ１が距離Ｌ２以上であってもよい。また、近接センサ２３の検知可能距離が距離Ｌ１よりも若干大きい距離に設定されるものとしたが、クッション２１が変形しやすい場合には、検知可能距離が距離Ｌ１よりも小さくてもよいし、電極部２２２Ｂによって外側の静電容量の変化が充分に遮蔽される場合には、検知可能距離が距離Ｌ２よりも大きくてもよい。
【００４６】
また、前記実施例では、近接センサ２３がイヤカップ２Ａの前方側かつ下方側の第２領域Ａ２に配置されるものとしたが、近接センサ２３は、ヘッドバンド３の形状や長さ、装着位置等に応じて適宜な領域に配置されていればよい。近接センサ２３が例えばイヤカップ２Ａの音放射側の外周領域全体に設けられていれば、対象物をより検知しやすくすることができる。
【００４７】
また、電池等の電源供給部を有する電源部５は、ハウジング２２内の収容スペースを考慮し、左右のイヤカップ２Ａ、２Ｂのうち少なくとも一方に設けられていればよい。電源部５が左右のイヤカップ２Ａ、２Ｂの一方にのみ設けられる場合には、配線を介して他方のイヤカップに電力を供給するように構成されていればよい。また、電源部５は、ハウジング２２に収容されていなくてもよい。
【００４８】
電源部５は、スピーカユニット４だけでなく受信部や回路基板６、近接センサ２３にも電力を供給するように構成されていてもよいし、これらのスピーカユニット４以外の装置に電力を供給する電源部が別体で設けられていてもよい。
【００４９】
クッション２１は、環状の内周部を有し、音波が通過可能な孔をこの環状の内周部が形成していてもよい。また、この孔は、クッション２１の中央部に形成されていてもよいし、中央部からずれた位置に形成されていてもよい。
【００５０】
回路基板６は、ヘッドホン１が準備状態となっているときに近接センサ２３による対象物の検知に応じてヘッドホン１を動作状態にするだけの制御を行うものであってもよい。即ち、近接センサ２３が対象物を検知しなくなってもヘッドホン１の動作状態を継続させてもよい。この場合、装着者は、ヘッドホン１を頭部から外した後にタッチパネル２２２や操作部７を操作してヘッドホン１を準備状態や停止状態にすればよい。このような構成によれば、例えば近接センサ２３の感度が低下してヘッドホン１を装着中にもかかわらず近接センサ２３によって対象物が検知されなくなった場合に、ヘッドホン１が準備状態となってしまうことを抑制し、装着中に音波の発生が途切れてしまわないようにすることができる。
【００５１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施例に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５２】
１          ヘッドホン
２Ａ、２Ｂ  イヤカップ
３          ヘッドバンド
４          スピーカユニット
６          回路基板（制御部）
７          操作部
２１        クッション（耳当て部）
２２        ハウジング
２３        近接センサ
２２２      タッチパネル
【図１】
2016100836.tif 000003
【図２】
2016100836.tif 000004
【図３】
2016100836.tif 000005
【図４】
2016100836.tif 000006